(57)【要約】【課題】  どのようなドアが設置された場合でも、ドア側へのシャワー水の飛散を防ぐことのできるシャワーカーテンを提供する。【解決手段】  天井に設置された略Ｌ字状のカーテンレール９に吊り下げられるシャワーカーテン１０の左右両端、及び途中のコーナー部には、カーテン１０の下端から上方に棒体１１ａ，１１ｂ，１１ｃを設け、この棒体１１ａ，１１ｂ，１１ｃを、それぞれ付近の壁面２ａ，２ｂ、またはドアに固定できるように構成する。【選択図】  図１
2005168682.tif 000002
【特許請求の範囲】
【請求項１】
天井に設置された略Ｌ字状のカーテンレールに吊り下げられるシャワーカーテンであって、該シャワーカーテンの左右両端および途中のコーナー部には、該シャワーカーテンの下端から上方に棒体を設け、該棒体をそれぞれ付近の壁面またはドアに固定できるように構成したことを特徴とするシャワーカーテン。
【請求項２】
天井に設置された略Ｌ字状のカーテンレールに吊り下げられるシャワーカーテンであって、該シャワーカーテンの左右両端は付近の壁面に固定でき、途中のコーナー部の下端は床面に固定できるように構成されていることを特徴とするシャワーカーテン。
【発明の詳細な説明】
【技術分野】
【０００１】
本発明は、シャワーエリアと他のエリアを仕切るシャワーカーテンに関するものである。
【背景技術】
【０００２】
従来、シャワーを設けたエリアから他のエリアへのシャワー水の飛散を防止することのできる、特許文献１に開示されているような構造のシャワーカーテンが提案されている。
【特許文献１】特開２００３−１３５２６２号公報
【発明の開示】
【発明が解決しようとする課題】
【０００３】
上記従来のシャワーカーテンにおいては、シャワーエリアから他のエリアへのシャワー水の飛散は良好に防止することができるが、開口の広いドアが設置されていた場合等においては、ドア側へのシャワー水の飛散を十分に防止することが難しいという問題点があった。
【課題を解決するための手段】
【０００４】
本発明は上記従来の問題点に鑑み案出したものであって、他のエリアへのシャワー水の飛散及びドア側へのシャワー水の飛散を良好に防止できるシャワーカーテンを提供せんとするものであり、請求項１は、天井に設置された略Ｌ字状のカーテンレールに吊り下げられるシャワーカーテンであって、該シャワーカーテンの左右両端および途中のコーナー部には、該シャワーカーテンの下端から上方に棒体を設け、該棒体をそれぞれ付近の壁面またはドアに固定できるように構成したことである。
【０００５】
また請求項２は、天井に設置された略Ｌ字状のカーテンレールに吊り下げられるシャワーカーテンであって、該シャワーカーテンの左右両端は付近の壁面に固定でき、途中のコーナー部の下端は床面に固定できるように構成されていることである。
【発明の効果】
【０００６】
本発明は、略Ｌ字状のカーテンレールに吊り下げられるシャワーカーテンの左右両端および途中のコーナー部には、下端から上方に棒体を設け、棒体をそれぞれ付近の壁面またはドアに固定できるように構成したことにより、左右側に設けた棒体は壁面に固定し、また途中のコーナー部に設けた棒体はドアに固定することで、カーテンのあおりを良好に抑えることができ、他のエリア及びドア側へのシャワー水の飛散を良好に防ぐことができるものとなる。
【０００７】
また、略Ｌ字状のカーテンレールに吊り下げられるシャワーカーテンの左右両端は付近の壁面に固定でき、途中のコーナー部の下端は床面に固定できるように構成されていることにより、カーテンの左右両端は壁面に固定し、途中のコーナー部はその下端を床面に固定して、シャワー水によるカーテンのあおりを抑えることができ、他のエリアへの水の飛散及びドア側への水の飛散を良好に防ぐことができるものとなる。
【実施例】
【０００８】
以下、本発明の実施例を図面に基づいて説明する。
図１は、シャワーエリアを囲むように設けたカーテンの斜視構成図であり、このようなカーテンは、例えば図２に平面図で示すようなユニットルームに設けられるものである。
図２において、ユニットルーム１は壁面２ａ，２ｂ，２ｃ，２ｄに囲まれ、壁面２ｄと壁面２ｃ間には、開き戸式のドア３が設けられている。
また、壁面２ａの中央部からドア３の取っ手側に向けて、床面に排水溝が形成されており、この排水溝には排水溝グレーチング４が覆設されている。この排水溝グレーチング４の図示左側には、壁面２ａにシャワー装置５を設置したシャワーエリア６が形成されており、排水溝グレーチング４よりも右側には、便器７を設置したトイレエリア８が形成されている。
【０００９】
カーテン１０は、シャワーエリア６とトイレエリア８を仕切ることができるとともに、更に壁面２ｄ側にＬ字状に回り込んで開閉できるように構成されている。
即ち、ユニットルーム１の天井面には、略Ｌ字状のカーテンレール９が設置されており、このカーテンレール９は、前記排水溝グレーチング４に沿って配設された長辺部９ａと、壁面２ｄと平行状に配設された短辺部９ｂがコーナー部９ｃで連結されて、略Ｌ字状を成しており、このＬ字状のカーテンレール９に、フック等を介し取り外し可能にカーテン１０が吊り下げられている。
【００１０】
カーテン１０の下端部には、左端側から右端側の全域に亘り、内部に鎖１５を入れた下端ウエイト部１０ａが設けられている。
また、カーテン１０の右端には、縦方向に右棒体１１ａが取り付けられており、カーテン１０の左端には、左棒体１１ｃが縦方向に取り付けられている。また、カーテン１０のコーナー部には、コーナー棒体１１ｂが取り付けられている。
本例では、この各棒体１１ａ，１１ｂ，１１ｃは断面四角形状に形成されており、カーテン１０の下端から上端までの全長に至る２０００mm程度の高さ寸法に設定されている。
【００１１】
右棒体１１ａ及び左棒体１１ｃのそれぞれの上部部位及び下部部位には、それぞれ磁石１３，１３が取り付けられており、この磁石１３，１３を壁面２ａ及び２ｂに磁着させて、壁面２ａに右棒体１１ａを固定でき、また壁面２ｂに左棒体１１ｃを固定できるように構成されている。
なお、壁面２ａ，２ｂが鋼板以外の、例えば壁面２ａ，２ｂがタイル面あるいはアルミニウム製で構成されている場合には、この壁面２ａ，２ｂに予め磁石１４，１４，１４，１４を固定させておき、この磁石１４に、棒体１１ａ，１１ｃに設けた磁石１３を磁着できるように構成しておくことができる。
【００１２】
また、コーナー棒体１１ｂの下端には、図４の拡大斜視図で示すように、垂下状にフック１２を設けておき、このフック１２を、排水溝グレーチング４に多数貫通形成されている排水孔４ａの何れかに引っ掛けて、コーナー棒体１１ｂの下端を良好に固定することができるものである。
このように、左右の棒体１１ａ，１１ｃは壁面２ａ，２ｂに固定し、コーナー棒体１１ｂは排水溝グレーチング４にその下端を固定して、カーテン１０を動かないようにしておくことができ、この状態では、シャワーエリア６内でシャワー装置５を使用してシャワーを浴びる時に、シャワー吐水等によるカーテン１０のあおりが良好に抑えられることとなり、トイレエリア８側へのシャワー水の飛散を防ぐことができるものとなる。
【００１３】
また、本例ではカーテン１０はＬ字状であるため、壁面２ｄ側へのシャワー水の飛散も防ぐことができ、例えばドア３が開けられた状態で、シャワーエリア６内でシャワーを浴びる場合でも、ドア３側へのシャワー水の飛散が防がれて、ドア３の外にシャワー水が飛散することはない。
【００１４】
なお、本例では、棒体１１ａ，１１ｂ，１１ｃは、カーテン１０の下端から上端までの全長に亘る高さ寸法のものとしているが、この棒体１１ａ，１１ｂ，１１ｃは、カーテン１０の下端から少なくとも５０cmの高さ寸法があれば良く、５０cm以上の高さ寸法の棒体１１ａ，１１ｃを良好に壁面２ａ，２ｂに固定して、カーテン１０の左右端の下端側のあおりを防ぐことができるものとなり、また５０cm以上の高さ寸法のコーナー棒体１１ｂで、コーナー部のカーテン１０の下端側のあおりを良好に防ぐことができる。
【００１５】
なお、人が立った状態で、手で握って操作し易い高さ寸法としては、例えば棒体１１ａ，１１ｂ，１１ｃの高さ寸法が、８００mm〜１２００mm程度のものが最適である。
なお、本例では、磁石１３と磁石１４による構成を例示しているが、磁石１３，１４に代えてマジックテープ（登録商標）で着脱できるように構成しておくこともできる。
【００１６】
なお、図３では、３枚引き戸３Ａを設けたユニットルーム１の平面図を示しており、このような開口面積の広い３枚引き戸３Ａを設けた場合に、３枚引き戸３Ａが開けられている場合には、特にカーテン１０のコーナー部からユニットルーム１の外側へシャワー水が飛散してしまう虞れがあるが、このような３枚引き戸３Ａの場合でも、カーテンはＬ字状であるため、良好にシャワーエリア６からのシャワー水の飛散を防ぐことができるものとなり、どのような形式のドア３，３Ａが設けられている場合でも、ユニットルーム１の外側へのシャワー水の飛散を防ぐことができるものである。
極端な場合には、壁面２ｄにドアが設けられている場合でも、カーテンはＬ字状であるため、確実にユニットルーム１の外側へシャワー水が飛散することを防ぐことができるものとなる。
【００１７】
なお、前記棒体１１ａ，１１ｂ，１１ｃは、断面円形状のパイプ状の棒体であっても良く、このようなパイプ状の棒体とする場合は、例えば図５に示すように、二重構造のカーテン１０の一部に、上下方向に延びる挿入袋部１０ｂを縫製時に形成させておき、この挿入袋部１０ｂ内に、上方よりパイプ状の棒体１１ｂを挿入できるように構成しておくことができる。なお、挿入袋部１０ｂの下端は袋状を成し、棒体１１ｂが下方へ抜けないように構成しておくことができる。
【００１８】
なお、棒体１１ｂの上下寸法が短いものを用いる場合のために、挿入袋部１０ｂに図５に示すように、切り込み状に切込挿入部１０ｃを形成させておき、上下寸法の短い棒体をこの切込挿入部１０ｃから挿入袋部１０ｂ内に挿入できるようにして、挿入袋部１０ｂの下部部位のみに、棒体１１ｂが装着されるように構成しておくことができる。
なお、二重カーテンに限らず、一重のカーテン１０においても、一部を縫い合わせて挿入袋部１０ｂを良好に形成させておくことができる。
【００１９】
更には図６に示すように、カーテン１０の左右両端及びコーナー部に、紐１７付きのマジックテープ（登録商標）１６を貼着し、紐１７を、棒体１１ｂに貫通形成した通し孔１１ｈ内に通して、棒体１１ｂをカーテン１０に取り付けることもできる。
このようなパイプ状または円形断面の棒体を用いる場合には、壁面２ａ，２ｂ側には、図７または図８に示すような、止め具１８または１９を取り付けておき、この止め具１８または１９に右棒体１１ａ及び左棒体１１ｃを嵌め込んで固定することができ、また、図２及び図３に示すように、壁面２ｄまたは３枚引き戸３Ａの内側に、止め具１８または１９を取り付けておき、コーナー棒体１１ｂを、この止め具１８または１９に固定できるように構成しておくことができる。
【００２０】
なお、図７の止め具１８は、壁面等に固定できる固定部１８ａから前方に、開口１８ｃを有する嵌め込み凹部１８ｂが形成されており、開口１８ｃ側から嵌め込み凹部１８ｂ内に棒体１１ａ，１１ｂ，１１ｃを押し込んで嵌め込むことができるものである。
また、図８の止め具１９は、固定部１９ａから前方へ突出して湾曲フック部１９ｂが形成されたものであり、この湾曲フック部１９ｂに棒体１１ａ，１１ｂ，１１ｃを嵌め込んで固定できるものである。
【００２１】
なお、シャワーにミスト状噴霧を用いた時などには、霧滴が舞い上がり、カーテンレールとカーテンの隙間から隣エリアへ出ていってしまうことがあるため、図９，図１０，図１１に示すような天井カーテン２４を内側に取り付けても良い。
図９では、カーテンレール９の内側に、マジックテープ（登録商標）２５を介して天井カーテン２４を取り付けたものである。図中２２はランナーであり、図中２３はＳ字フックである。
【００２２】
図１０では、カーテンレール９の内側の、天井２１にマジックテープ（登録商標）２５を介して天井カーテン２４を取り付けたものである。図中２６はリングであり、カーテンレール９はパイプで構成されている。
図１１では、天井２１が鋼板の場合に、カーテンレール９の内側の天井２１に、磁石２７を介して天井カーテン２４を取り付けたものである。なお、磁石２７は天井カーテン２４に縫い込んでおくことができる。
【図面の簡単な説明】
【００２３】
【図１】Ｌ字状のカーテンでシャワーエリアを囲んだ状態の斜視構成図である。
【図２】ユニットルームの一例を示す平面構成図である。
【図３】ユニットルームの別例を示す平面構成図である。
【図４】カーテンのコーナー部の固定状態を示す要部拡大斜視構成図である。
【図５】パイプ状の棒体を取り付けるための挿入袋部を形成したカーテンの要部斜視構成図である。
【図６】紐付きのマジックテープ（登録商標）で棒体をカーテンに取り付ける場合の作用説明図である。
【図７】止め具の斜視構成図である。
【図８】止め具の別例を示す斜視構成図である。
【図９】カーテンレールの内側に、マジックテープ（登録商標）を介して天井カーテンを取り付けた構成図である。
【図１０】カーテンレールの内側の天井に、マジックテープ（登録商標）を介して天井カーテンを取り付けた構成図である。
【図１１】カーテンレールの内側の天井に、磁石を介して天井カーテンを取り付けた構成図である。
【符号の説明】
【００２４】
１  ユニットルーム
２ａ，２ｂ，２ｃ，２ｄ  壁面
３  ドア
３Ａ  ３枚引き戸
４  排水溝グレーチング
４ａ  排水孔
５  シャワー装置
６  シャワーエリア
７  便器
８  トイレエリア
９  Ｌ字状カーテンレール
９ａ  長辺部
９ｂ  短辺部
９ｃ  コーナー部
１０  カーテン
１０ａ  下端ウエイト部
１０ｂ  挿入袋部
１０ｃ  切込挿入部
１１ａ  右棒体
１１ｂ  コーナー棒体
１１ｃ  左棒体
１３，１４  磁石
１５  鎖
１６  マジックテープ（登録商標）
１７  紐
【図１】
2005168682.tif 000003
【図２】
2005168682.tif 000004
【図３】
2005168682.tif 000005
【図４】
2005168682.tif 000006
【図５】
2005168682.tif 000007
【図６】
2005168682.tif 000008
【図７】
2005168682.tif 000009
【図８】
2005168682.tif 000010
【図９】
2005168682.tif 000011
【図１０】
2005168682.tif 000012
【図１１】
2005168682.tif 000013